(57)【特許請求の範囲】
【請求項１】
枚葉紙をフィーダから給紙し、紙咥え爪を設けた圧胴、または、圧胴及び中間胴を介して排紙するように、複数の圧胴をほぼ水平方向に接続し、各前記圧胴の上部にインキング機構と版胴及びブランケット胴を設けて表面印刷ユニットを構成し、且つ、各前記圧胴の下部にインキング機構と版胴及びブランケット胴を設けて裏面印刷ユニットを構成して、この表面印刷ユニット及び裏面印刷ユニットで両面印刷した枚葉紙にニスコーティングを行なう両面刷枚葉印刷機のニスコーティング装置において、
前記表面印刷ユニット及び前記裏面印刷ユニットによる印刷が終了した最終部に、２倍胴以上の表面ニスコーティング用圧胴及び、２倍胴以上の裏面ニスコーティング用圧胴を接続し、
前記表面ニスコーティング用圧胴の周囲に両面印刷後の枚葉紙の表面に水性ニスをコーティングするニスコーティングユニットとＩＲ（ＩｎｆｒａｒｅｄＲａｙｓ：赤外線）乾燥機を設けるとともに前記表面ニスコーティング用圧胴に続くスケルトン型の表面ニスコーティング用中間胴と熱風及び冷風装置付きの表面ニスコーティング用乾燥胴とからなる表面ニスコーティング装置とを備え、
前記裏面ニスコーティング用圧胴の周囲に両面印刷後の枚葉紙の裏面に水性ニスをコーティングするニスコーティングユニットとＩＲ乾燥機を設けるとともに、前記裏面ニスコーティング用圧胴に続く裏面ニスコーティング用中間胴と熱風及び冷風装置付きの裏面ニスコーティング用乾燥胴とからなる裏面ニスコーティング装置とを備えたことを特徴とする両面刷枚葉印刷機のニスコーティング装置。
【発明の詳細な説明】
【技術分野】
【０００１】
本発明は、両面枚葉印刷機において印刷された枚葉紙にニスを塗って印刷物の美観向上を図ると共に、汚れや傷のつくのを防止するニスコーティング装置に関する。
【背景技術】
【０００２】
両面枚葉印刷機において、印刷紙は、印刷部でその両面に印刷がなされた後、汚染防止や美観向上のためにニスを両面にコーティングする場合がある。
このような例として、例えば、プラスチック素材シートの両面に複数回のニスコーティングを行なう専用機の例が紹介されている（特許文献１参照。）。この例では、隣接する複数の胴のそれぞれにニスコーティング装置と乾燥装置とを設け、プラスチック紙幣などのシート状物の両面にニスコーティングを行なっている。しかし、両面に多色印刷を行なった上にニスコーティングを行なう場合とは、印刷の対象物が異なっているので技術的に異なる面がある。この例ではニスには速乾性のUVニスを用いている。
【０００３】
また、本願出願人が先に提案した例は、表面印刷ユニットと裏面印刷ユニットのそれぞれに、ニスコータ用の圧胴を設けており、UVニスを使用する場合には好適であるが、水性ニスを使用する場合には、ニスコーティングから乾燥までの距離が短く、乾燥に要する時間が充分取れないという問題がある（特許文献２参照。）。
【０００４】
また、枚葉紙を咥え変えてシート状物の両面にパターンコーティングを行なう例が報告されている（特許文献３参照。）。しかしこの例では乾燥装置が明確に示されておらず、もし、従来例として示されたものと同様の乾燥装置を排紙チェーン上に設けるとすると、紙のばたつきを防止するようにエアーを吹出すことはかなり難しい。
【特許文献１】特開２０００−１０３０３５号公報
【特許文献２】特開２００１−１９１４８９号公報
【特許文献３】特開２００３−１８２０３１号公報
【発明の開示】
【発明が解決しようとする課題】
【０００５】
本発明は、両面に各１色または複数色の印刷を行なった後に水性ニスをコーティングする装置で、乾燥の問題を解決するとともに、機械全体が長くならないように構成したニスコーティング装置を提供することを課題とする。
【課題を解決するための手段】
【０００６】
上記課題を解決するため本発明の請求項1に記載の発明は、枚葉紙をフィーダから給紙し、紙咥え爪を設けた圧胴、または、圧胴及び中間胴を介して排紙するように、複数の圧胴をほぼ水平方向に接続し、各前記圧胴の上部にインキング機構と版胴及びブランケット胴を設けて表面印刷ユニットを構成し、且つ、各前記圧胴の下部にインキング機構と版胴及びブランケット胴を設けて裏面印刷ユニットを構成して、この表面印刷ユニット及び裏面印刷ユニットで両面印刷した枚葉紙にニスコーティングを行なう両面刷枚葉印刷機のニスコーティング装置において、前記表面印刷ユニット及び前記裏面印刷ユニットによる印刷が終了した最終部に、２倍胴以上の表面ニスコーティング用圧胴及び、２倍胴以上の裏面ニスコーティング用圧胴を接続し、前記表面ニスコーティング用圧胴の周囲に両面印刷後の枚葉紙の表面に水性ニスをコーティングするニスコーティングユニットとＩＲ乾燥機を設けるとともに前記表面ニスコーティング用圧胴に続くスケルトン型の表面ニスコーティング用中間胴と熱風及び冷風装置付きの表面ニスコーティング用乾燥胴とからなる表面ニスコーティング装置とを備え、前記裏面ニスコーティング用圧胴の周囲に両面印刷後の枚葉紙の裏面に水性ニスをコーティングするニスコーティングユニットとＩＲ乾燥機を設けるとともに、前記裏面ニスコーティング用圧胴に続く裏面ニスコーティング用中間胴と熱風及び冷風装置付きの裏面ニスコーティング用乾燥胴とからなる裏面ニスコーティング装置とを備えたことを特徴とする。
【０００７】
すなわち、請求項１に記載の両面刷枚葉印刷機のニスコーティング装置の前記表面ニスコーティング装置及び前記裏面ニスコーティング装置は、それぞれ、ニスコーティング用圧胴、ニスコーティング用中間胴、熱風及び冷風装置付きのニスコーティング用乾燥胴とからなることを特徴とする。
【０００８】
上記課題を解決するため、請求項１に記載の両面刷枚葉印刷機のニスコーティング装置において、前記表面ニスコーティング用中間胴は、スケルトン型であることを特徴とする。
【発明の効果】
【０００９】
本発明は、以上のように構成したので、両面印刷された枚葉紙の両面に水性ニスをコーティングして充分乾燥させることが可能な両面刷枚葉印刷機のニスコーティング装置を、機械全長を比較的短く構成することができ、両面印刷された枚葉紙に傷や汚れをつくのを防止することができ、印刷物を綺麗に仕上げることができる。
【発明を実施するための最良の形態】
【００１０】
印刷面の傷や汚れを防止して美観を向上する目的で、印刷物にニスコーティングすることが行なわれる。ニスコーティングした場合、乾燥装置が必要になる。
このような目的に用いられるニスとしては、ＵＶ（紫外線）ニスと水性ニスの２種類のニスがある。ＵＶニスを使用する場合は、ＵＶインキを使用しなければ艶出し効果が出ない。そうしてＵＶ乾燥装置が必要で、この乾燥装置を用いるとニスは即座に乾燥・硬化するが、インキ及び装置は高価なものになる。
一方、水性ニスは、反対に、インキ及び乾燥装置は廉価であるが、乾燥・硬化速度が劣る。したがって、ＵＶニスの場合よりも乾燥に時間が必要で、装置上に乾燥に要する距離が長く必要になる。
本発明では、ニスコーター用圧胴、中間胴に２倍胴以上の径の長いものを用いて、機械全長があまり長くならないで乾燥距離を長く取れるようにした。
また、第１の乾燥装置としてＩＲ乾燥装置を、第２の乾燥装置として送風乾燥機を用い、その間の中間胴にはスケルトン型のものを用いた。
また、第２の送風乾燥機を前半と後半に２分し、前半は熱風を、後半は冷風を噴出して乾燥させるようにした。ただし、乾燥効果をさらに向上させるために、第２の乾燥装置を３分して、中間にさらにＩＲ乾燥装置を配置することもある。
さらに、表面側のニスコーティングと乾燥が終わってから、裏面側のニスコーティングと乾燥に入るようにした。
【００１１】
以下、本発明の実施の形態を図面に基づいて詳細に説明する。
図１は、本発明の両面刷枚葉印刷機のニスコーティング装置の一実施の形態の構成を示す側面図で、図２は図１に示すニスコーティング装置の実施の形態の乾燥部分の拡大図である。
【００１２】
図１及び図２において、符号１はフイーダ、符号２はスウィング装置、符号３は紙渡し胴、符号４、６、８、１０は表面印刷ユニット、符号５、７、９、１１は裏面印刷ユニット、符号１２〜１９は中間胴、符号２０は表面ニスコーティング装置、符号２１、３１はコーター圧胴、符号２２、３２はコーター版胴、符号２３、３３はアニロックスニスローラ、符号２３Ａ、３３Ａはチャンバー、符号２４、３４はＩＲ乾燥装置（第１乾燥装置）、符号２５はスケルトン型の中間胴、符号２６、３６は乾燥胴、符号２７、３７は第２乾燥装置、符号３０は裏面ニスコーティング装置、符号３５、３８〜４０は中間胴、符号４１はデリバリ胴、符号４３は排紙台である。さらに符号４５〜４８はメンテナンススペースである。
【００１３】
複数の各色に対応する表面印刷ユニット４、６、８、１０はそれぞれ、圧胴４Ａ、６Ａ、８Ａ、１０Ａと、その上方にあるブランケット胴４Ｂ、６Ｂ、８Ｂ、１０Ｂと、版胴４Ｃ、６Ｃ、８Ｃ、１０Ｃ及び不図示のインキング機構からなる。
同様に、複数の各色に対応する裏面印刷ユニット５、７、９、１１はそれぞれ、圧胴５Ａ、７Ａ、９Ａ、１１Ａと、表面印刷ユニット４、６、８、１０とは反対に、その下方にあるブランケット胴５Ｂ、７Ｂ、９Ｂ、１１Ｂと、版胴５Ｃ、７Ｃ、９Ｃ、１１Ｃ及び不図示のインキング機構からなる。
【００１４】
上記の各圧胴４Ａ、６Ａ、８Ａ、１０Ａ及び圧胴５Ａ、７Ａ、９Ａ、１１Ａは、交互にほぼ水平方向に、中間胴１４〜１９を介して接続されている。
この構成により、枚葉紙Ｐを、フイーダ１からスウィング装置２、紙渡し胴3を介して各印刷ユニット４〜１１に供給し、これによりその両面に印刷を行なっている。
ここまでの構成は従来からの両面刷枚葉印刷機と同じ構成である。ただし、中間胴、圧胴等は単胴の場合を例示しているが、これに限定されるものではない。圧胴が２倍胴以上の場合は、中間胴を必要としない場合がある。
【００１５】
本発明に係るニスコーティング装置は、水性ニスを使用することを前提にしている。単胴の場合は、裏面印刷ユニット１１の圧胴１１Ａの後部に２個の中間胴１２、１３を介して、表面ニスコーティング装置２０及び裏面ニスコーティング装置３０を接続する。
【００１６】
表面ニスコーティング装置２０は、不図示の紙咥え爪を有するコーター圧胴２１、コーター版胴２２及びチャンバー２３Ａを備えたアニロックスニスローラ２３で構成され、枚葉紙Ｐの表面にニスコーティングを行なう。そうして、コーター胴２１上で第１乾燥装置としてのＩＲ乾燥装置２４によってニスの乾燥が行われる。
【００１７】
表面ニスコーティング装置２０で表面にニスコーティングが行なわれた枚葉紙Ｐは、枠組みだけで構成されたスケルトン型の中間胴２５に受け渡される。この中間胴２５をスケルトン型にしたのは、枚葉紙Ｐが中間胴１３の下側搬送であって、ニスが充分乾いていない状態で枚葉紙Ｐが中間胴２５等に接触しても、汚損や疵が生じることがないようにするためである。
【００１８】
次いで、枚葉紙Ｐは乾燥胴２６に受け渡される。この乾燥胴２６の上方には送風乾燥装置である第２乾燥装置２７が設けられ、その前半部２７Ａでは熱風が、その後半部２７Ｂでは冷風が吹き出されて、枚葉紙Ｐのニスが塗布された部分に当るようになっている。ただし、前半部２７Ａと後半部２７Ｂとの間に、さらに、ＩＲ乾燥装置を配置することもある。
この一連の表面ニスコーティング装置２０の処理によって、枚葉紙Ｐは表面に汚損や疵を生じることなく、ニスコーティングされ、確実に乾燥される。
このように枚葉紙Ｐ表面のニスが乾燥した後で、裏面のニスコーティングと乾燥が行われる。
【００１９】
裏面ニスコーティング装置３０は、表面ニスコーティング装置２０を裏返ししたような構成である。中間胴３５の回転方向が図でみて反時計方向である。基本的な作用と動作は先に述べた表面ニスコーティング装置２０とほぼ同じである。
【００２０】
以上に述べたように構成された両面刷枚葉印刷機のニスコーティング装置によって、表面、裏面にニスコーティングされた枚葉紙Ｐは、中間胴３８〜４０によって順次受け渡されてデリバリ胴４１に搬送される。そうして最終的に、排紙台４３上に排紙される。
【産業上の利用可能性】
【００２１】
本発明は以上のように、水性ニスを用いる両面刷枚葉印刷機のニスコーティング装置で、装置をさほど長くしないでも枚葉紙の表面、裏面ともにニスコーティングを行なって確実に乾燥することができるので、有用性が高く、さらにメンテナンススペースが充分確保できるという点でも効果的である。したがって、枚葉印刷を行なう印刷業界、印刷機械の製造業界で広く利用できる発明である。
【図面の簡単な説明】
【００２２】
【図１】本発明の両面刷枚葉印刷機のニスコーティング装置の構成を示す側面図である。
【図２】図１に示すニスコーティング装置の乾燥部分の拡大図である。
【符号の説明】
【００２３】
１    フイーダ
２    スウィング装置
３    紙渡し胴
４、６、８、１０    表面印刷ユニット
５、７、９、１１    裏面印刷ユニット
１２〜１９    中間胴
２０    表面ニスコーティング装置
２１、３１    コーター圧胴
２２、３２    コーター版胴
２３、３３    アニロックスニスローラ
２３Ａ、３３Ａ    チャンバー
２４、３４    ＩＲ乾燥装置（第１乾燥装置）
２５    スケルトン型の中間胴
２６、３６    乾燥胴
２７、３７    第２乾燥装置
３０    裏面ニスコーティング装置
３５、３８〜４０    中間胴
４１    デリバリ胴
４３    排紙台
４５〜４８    メンテナンススペース
Ｐ    枚葉紙
【図１】
0004619287.tif 000002
【図２】
0004619287.tif 000003